(57)【要約】【課題】装置の小型化、生産コストおよびランニングコストの低減を実現させる。【解決手段】点灯回路３０は、ストロボ装置１９の光源であるキセノン放電管３１を点灯させる回路（ストロボ用回路）３２と、プリンタ部１１の棒状ランプ２３を点灯させる回路（プリンタ用回路）３３とが共通化されている。主制御部１２は、点灯回路３０に接続され、２つの光源を独立して作動させる。カメラ部１０で撮影した画像データをハードコピーする場合には、主制御部１２から点灯回路３０にプリント信号を送信し、プリンタ用回路３３を作動させて棒状ランプ２３を点灯させる。ストロボ撮影を行う場合には、主制御部１２から点灯回路３０にストロボ信号を送信し、ストロボ用回路３２を作動させてキセノン放電管３１を点灯させる。【選択図】　　　　図２
2004125969.tif 000002
【特許請求の範囲】
【請求項１】
ストロボ装置を内蔵したカメラと一体化され、このカメラで撮影した画像を表示する透過型の画像表示手段と、この画像表示手段に表示された画像を感光性記録媒体に転写するためのプリント用光源と、複数の貫通孔が設けられ、前記プリント用光源からの光を略平行光とする多孔板とを備えたカメラ一体型プリンタにおいて、
前記ストロボ装置の光源を点灯させる回路と前記プリント用光源を点灯させる回路とを共通化するとともに、
これら２つの光源を独立して作動させる制御手段を備えたことを特徴とするカメラ一体型プリンタ。
【請求項２】
ストロボ装置を内蔵したカメラと一体化され、このカメラで撮影した画像を表示する透過型の画像表示手段と、この画像表示手段に表示された画像を感光性記録媒体に転写するためのプリント用光源と、複数の貫通孔が設けられ、前記プリント用光源からの光を略平行光とする多孔板とを備えたカメラ一体型プリンタにおいて、
前記ストロボ装置の光源または前記プリント用光源を他方の光源として用いるための光学系を備えたことを特徴とするカメラ一体型プリンタ。
【発明の詳細な説明】
【０００１】
【発明の属する技術分野】
本発明は、ストロボ装置を内蔵したカメラと一体化され、このカメラで撮影した画像を表示する透過型の画像表示手段に表示された画像を感光性記録媒体に転写するためのプリント用光源と、複数の貫通孔が設けられ、プリント用光源からの光を略平行光とする多孔板とを備えたカメラ一体型プリンタに関する。
【０００２】
【従来の技術】
ＣＣＤイメージセンサなどの撮像素子で撮像された被写体画像をデジタルの画像データに変換し、この画像データをメモリカードや内蔵メモリなどの記憶媒体に記憶させるデジタルカメラが普及している。このようなデジタルカメラの中には、記憶媒体に保存されている画像データから所望の画像データをインスタントフイルムなどの感光性記録媒体にハードコピーし、インスタント写真をプリントするものがある。
【０００３】
上記のプリンタには、光を照射するプリント用光源と、複数の貫通孔が設けられ、光源からの光を略平行光とする多孔板と、カメラで撮影した被写体画像を表示する透過型の液晶表示器とからなる転写装置が用いられる。この転写装置は、液晶表示器で表示された画像を光源からの光を用いて感光性記録媒体に転写する（特許文献１〜３参照）。
【０００４】
【特許文献１】
特開２００２−１９６４２４号公報
【特許文献２】
特開２００２−１９６４２５号公報
【特許文献３】
特開２００２−１９６４２６号公報
【０００５】
【発明が解決しようとする課題】
ところで、現在市販されているデジタルカメラの多くは、ストロボ装置を内蔵している。従来のカメラ一体型プリンタでは、このストロボ装置の光源を点灯させる回路と、前述のプリント用光源を点灯させる回路とが別に設けられているため、装置の大型化、生産コストの増大を招いていた。
【０００６】
また、多孔板を用いると、プリント用光源からの光の大部分は無駄になる。したがって、画像を感光性記録媒体に転写するのに必要な光量を得るためには、プリント用光源の出力を大きくするか、点灯時間を長くするかしなければならず、いずれにしても装置のランニングコストの増大は避けられない問題であった。
【０００７】
本発明は、装置の小型化、生産コストおよびランニングコストの低減を実現させることができるカメラ一体型プリンタを提供することを目的とする。
【０００８】
【課題を解決するための手段】
上記目的を達成するために、本発明は、ストロボ装置を内蔵したカメラと一体化され、このカメラで撮影した画像を表示する透過型の画像表示手段と、この画像表示手段に表示された画像を感光性記録媒体に転写するためのプリント用光源と、複数の貫通孔が設けられ、前記プリント用光源からの光を略平行光とする多孔板とを備えたカメラ一体型プリンタにおいて、前記ストロボ装置の光源を点灯させる回路と前記プリント用光源を点灯させる回路とを共通化するとともに、これら２つの光源を独立して作動させる制御手段を備えたことを特徴とする。
【０００９】
また、本発明は、ストロボ装置を内蔵したカメラと一体化され、このカメラで撮影した画像を表示する透過型の画像表示手段と、この画像表示手段に表示された画像を感光性記録媒体に転写するためのプリント用光源と、複数の貫通孔が設けられ、前記プリント用光源からの光を略平行光とする多孔板とを備えたカメラ一体型プリンタにおいて、前記ストロボ装置の光源または前記プリント用光源を他方の光源として用いるための光学系を備えたことを特徴とする。
【００１０】
【発明の実施の形態】
図１に、本発明を実施したカメラ一体型プリンタの概略構成を示す。カメラ一体型プリンタ２は、カメラ部１０、プリンタ部１１、および主制御部１２からなる。カメラ部１０は、カメラ一体型プリンタ２の本体から露呈された撮像レンズ１３、撮像レンズ１３からの被写体光を読み取るＣＣＤイメージセンサ１４、読み取った被写体画像に各種画像処理を施す信号処理回路１５、内蔵メモリやメモリカードなどからなり、画像処理が施された画像データを保存する記憶媒体１６、および撮像レンズ１３を通して撮像される被写体画像をリアルタイムで表示するとともに、記憶媒体１６から読み出した画像データを再生する際などに用いる表示装置１７から構成される。また、カメラ部１０には、夜間撮影時など被写体輝度が不足している場合に、プロテクタ１８を介して被写体に向けてストロボ光を照射するストロボ装置１９が設けられている。
【００１１】
プリンタ部１１は、プリント用光源であるバックライトユニット２０、多孔板２１、および液晶表示器（ＬＣＤ）２２などからなる。バックライトユニット２０は、ＬＣＤ２２の背後からその全面に均一な光を照射するためのもので、ＬＣＤ２２の表示画面と略同一の発光面を有する面状光源である。このバックライトユニット２０は、棒状ランプ２３と、この棒状ランプ２３から照射された光を所定方向に導入する導光板と、導光板に導入された光を略直交する方向に反射させる反射シートと、反射された光を均一にする拡散シートやプリズムシートなどを有するバックライトアセンブリとからなる。なお、バックライトユニット２０としては、公知のＬＣＤ用バックライトユニットを用いることができる。また、所定の強度の光を射出できる面状光源であれば、ＬＥＤアレイや有機、無機ＥＬパネルなども用いることができる。
【００１２】
多孔板２１は、バックライトユニット２０からの光を略平行光にしてＬＣＤ２２に照射する。この多孔板２１は、所定厚みの矩形板に、所定サイズの円筒形の貫通孔２１ａを、所定ピッチで多数設けたものである。なお、多孔板２１の材質としては、アルミニウムなどの金属板やプラスチック樹脂板、カーボンなどを用いることができる。また、貫通孔２１ａの断面形状は、楕円形、多角形など適宜変更することが可能である。さらに、貫通孔２１ａの配列形状も、碁盤目状、千鳥格子状などを用いることができる。
【００１３】
ＬＣＤ２２は、記憶媒体１６に保存されている画像データから所望の画像データを読み出して表示する透過型の画像表示手段である。このＬＣＤ２２は、液晶層の両側を、偏光フイルム、ガラス基板、および電極からなる層で挟んだ積層構造を有し、この他にブラックマトリクスやＲＧＢカラーフィルタ、配向膜などから形成される。
【００１４】
プリンタ部１１には、感光性記録媒体であるインスタントフイルム２４が積層して収納されたフイルムケース２５が装填される。インスタントフイルム２４には、例えばモノシートタイプのインスタント写真用フイルムが用いられる。このインスタントフイルム２４は、カメラ一体型プリンタ２の本体に設けられた押圧ピン２６によりＬＣＤ２２側に押し付けられる。フイルムケース２５には、ＬＣＤ２２に表示された画像を露光したインスタントフイルム２４が送り出される取り出し口２５ａが設けられている。この取り出し口２５ａから送り出されたインスタントフイルム２４は、現像液を封入された現像液ポッド（図示せず）が押し破られ、展開ローラ対２７により現像液を全体に展開された後、カメラ一体型プリンタ２の本体に設けられた排出口２８に排出される。
【００１５】
主制御部１２は、カメラ一体型プリンタ２の電気的な動作を全体的に統括しており、各種入力信号に応じた信号処理や各部の制御を行う。図２に示すように、主制御部１２は、ストロボ装置１９の光源であるキセノン放電管３１を点灯させる回路（ストロボ用回路）３２と、プリンタ部１１の棒状ランプ２３を点灯させる回路（プリンタ用回路）３３とが共通化された点灯回路３０に接続され、これら２つの光源を独立して作動させる。
【００１６】
点灯回路３０は、電源３４、メインコンデンサ３５、および発振昇圧回路３６などから構成される。発振昇圧回路３６は、発振トランジスタ３７および発振トランス３８からなり、周知のブロッキング発振回路を構成している。この発振昇圧回路３６は、主制御部１２からの入力信号により作動し、電源３４からの給電を受けて高電圧を発生させ、メインコンデンサ３５に対して高圧充電を行う。
【００１７】
ストロボ用回路３２およびプリンタ用回路３３には、トリガコンデンサ３９、４０、トリガコイル４１、４２、トリガ電極４３、４４、およびＩＧＢＴ（Ｉｎｓｕｌａｔｅｄ　Ｇａｔｅ　ＢｉｐｏｌａｒＭｏｄｅ　Ｔｒａｎｓｉｓｔｏｒ、絶縁ゲート型バイポーラトランジスタ）４５、４６が設けられている。トリガコンデンサ３９、４０は、発振昇圧回路３６からの出力電流によって充電される。ＩＧＢＴ４５、４６がオンすると、トリガコンデンサ３９、４０に蓄えられた電荷がトリガコイル４１、４２の一次側に流れ、トリガコイル４１、４２の二次側にトリガ電圧が発生し、このトリガ電圧がトリガ電極４３、４４を介してキセノン放電管３１または棒状ランプ２３に印加される。これにより、キセノン放電管３１または棒状ランプ２３の電極間に絶縁破壊が起こり、メインコンデンサ３５の電荷がキセノン放電管３１または棒状ランプ２３内で放電してストロボ光またはプリント光が発生する。
【００１８】
次に、上記構成による作用について説明する。カメラ部１０で撮影した画像データをハードコピーする場合には、まずハードコピーを希望する画像データを記憶媒体１６から読み出してＬＣＤ２２に表示する。そして、主制御部１２から点灯回路３０にプリント信号を送信し、プリンタ用回路３３を作動させて棒状ランプ２３を点灯し、ＬＣＤ２２に表示された画像をインスタントフイルム２４に露光する。画像の露光後、展開ローラ対２７を駆動し、現像液をフイルム全体に展開して現像処理を施す。そして、現像処理後のインスタントフイルム２４を、排出口２８からカメラ一体型プリンタ２の外部に排出する。
【００１９】
ストロボ撮影を行う場合には、主制御部１２から点灯回路３０にストロボ信号を送信し、ストロボ用回路３２を作動させてキセノン放電管３１を点灯し、被写体に向けてストロボ光を照射する。このように、ストロボ用回路３２とプリンタ用回路３３とが共通化され、主制御部１２で２つの光源を独立して制御するので、装置の小型化、生産コストの低減を実現させることができる。
【００２０】
本発明の第２の実施形態を示す図３において、カメラ一体型プリンタ５０には、キセノン放電管３１をプリンタ部１１の光源として用いるための光学系５１が設けられている。この光学系５１は、キセノン放電管３１からの照射光をプリンタ部１１へと導く反射ミラー５２ａ〜５２ｃから構成される。反射ミラー５２ａは、キセノン放電管３１からの光をプロテクタ１８から被写体に照射するための退避位置と、キセノン放電管３１からの光をプリンタ部１１へと導く導光位置との間で移動自在となっている。このようにすると、光源を単一にすることができ、装置の小型化、生産コストの低減をさらに促進させることができる。また、キセノン放電管３１は、通常用いられるプリント用光源と比較して出力が大きいので、多孔板２１を用いていても画像を転写するのに必要な光量を充分に確保することができる。なお、ストロボ用のキセノン放電管３１ではなく、プリント用の光源を単一光源として用いてもよい。
【００２１】
【発明の効果】
以上のように、本発明のカメラ一体型プリンタによれば、ストロボ装置の光源を点灯させる回路とプリント用光源を点灯させる回路とを共通化するとともに、これら２つの光源を独立して作動させる制御手段を備えたので、装置の小型化、生産コストの低減を実現させることができる。
【図面の簡単な説明】
【図１】本発明を実施したカメラ一体型プリンタの概略図である。
【図２】点灯回路の構成を示す図である。
【図３】本発明の第２の実施形態を示す概略図である。
【符号の説明】
２、５０　カメラ一体型プリンタ
１０　カメラ部
１１　プリンタ部
１２　主制御部
１９　ストロボ装置
２０　バックライトユニット
２２　液晶表示器（ＬＣＤ）
２３　棒状ランプ
２４　インスタントフイルム
３０　点灯回路
３１　キセノン放電管
３２　ストロボ用回路
３３　プリンタ用回路
５１　光学系
【図１】
2004125969.tif 000003
【図２】
2004125969.tif 000004
【図３】
2004125969.tif 000005